(57)【要約】      （修正有）【課題】スメクチックＡ相を呈する温度範囲が低く、充分な光学変調が得られる液晶分子の提供。【解決手段】式（１）に示す構造である液晶分子。2010090265.tif 000026但し、Ｘ1、Ｘ2は式２から選択される基であり、2010090265.tif 000027Ｘ3は式４で表される。2010090265.tif 000028【選択図】図３
2010090265.tif 000002
【特許請求の範囲】
【請求項１】
下記一般式（１）に示す構造である液晶分子。
【化１】
2010090265.tif 000019
但し、前記一般式（１）中、Ｘ1は下記式（２）から選択される基であり、
【化２】
2010090265.tif 000020
前記一般式（１）中、Ｘ2は下記式（３）から選択される基であり、
【化３】
2010090265.tif 000021
前記一般式（１）中、Ｘ3は下記式（４）で表される。
【化４】
2010090265.tif 000022
（式（１）〜（４）中、Ｒ1は炭素数４〜１６の直鎖もしくは分岐鎖の炭化水素基を表し、Ｒ2はＳｉ数１〜６の分岐しても良いオルガノシロキサンまたはオルガノシランを表す。また、Ｒ3及びＲ4は、Ｈ，Ｆ，Ｃｌ，Ｂｒ，ＣＮ，ＣＨ3，ＣＦ3またはＯＣＨ3を表し、互いに異なる。
Ｙ1及びＹ2は、−，-ＣＯＯ-，-ＣＨ2-，-ＣＨ2Ｏ-，-Ｃ2Ｈ2-，-Ｃ2-または-ＣＦ2Ｏ-を表す。
Ｚ1及びＺ2はＨ，Ｆ，Ｃｌ，Ｂｒ，ＯＨ，ＮＯ2，ＣＮまたはＣＦ3を表す。また、Ｚ3及びＺ4はＨ，Ｆ，Ｃｌ，Ｂｒ，ＯＨ，ＮＯ2，ＣＮまたはＣＦ3を表す。さらに、Ｚ5及びＺ6は、Ｈ，Ｆ，Ｃｌ，Ｂｒ，ＯＨ，ＮＯ2，ＣＮまたはＣＦ3を表す。但し、Ｚ5及びＺ6がいずれもＨである場合は除く。
また、ｎ＝１〜６の整数であり、＊はカイラル中心を表し、−は連結基を意味する。）
【請求項２】
下記一般式（５）に示す構造である液晶分子。
【化５】
2010090265.tif 000023
（式（５）中、Ｒ1は炭素数４〜１６の直鎖もしくは分岐鎖の炭化水素基を表し、Ｒ13は、Ｆ，Ｃｌ，Ｂｒ，ＣＮ，ＣＨ3，ＣＦ3またはＯＣＨ3を表す。
Ｚ1及びＺ2はＨ，Ｆ，Ｃｌ，Ｂｒ，ＯＨ，ＮＯ2，ＣＮまたはＣＦ3を表す。また、Ｚ3及びＺ4はＨ，Ｆ，Ｃｌ，Ｂｒ，ＯＨ，ＮＯ2，ＣＮまたはＣＦ3を表す。さらに、Ｚ5及びＺ6は、Ｈ，Ｆ，Ｃｌ，Ｂｒ，ＯＨ，ＮＯ2，ＣＮまたはＣＦ3を表す。但し、Ｚ5及びＺ6がいずれもＨである場合は除く。
また、ｎ＝１〜６の整数、ｍ＝１〜５の整数であり、＊はカイラル中心を表す。）
【請求項３】
下記一般式（５）に示す構造である液晶分子と、下記一般式（６）に示す構造である液晶分子と、を含む液晶材料。
【化６】
2010090265.tif 000024
【化７】
2010090265.tif 000025
（式（５）及び（６）中、Ｒ1は炭素数４〜１６の直鎖もしくは分岐鎖の炭化水素基を表し、Ｒ13は、Ｆ，Ｃｌ，Ｂｒ，ＣＮ，ＣＨ3，ＣＦ3またはＯＣＨ3を表す。
Ｚ1及びＺ2はＨ，Ｆ，Ｃｌ，Ｂｒ，ＯＨ，ＮＯ2，ＣＮまたはＣＦ3を表す。また、Ｚ3及びＺ4はＨ，Ｆ，Ｃｌ，Ｂｒ，ＯＨ，ＮＯ2，ＣＮまたはＣＦ3を表す。さらに、Ｚ5及びＺ6は、Ｈ，Ｆ，Ｃｌ，Ｂｒ，ＯＨ，ＮＯ2，ＣＮまたはＣＦ3を表す。但し、Ｚ5及びＺ6がいずれもＨである場合は除く。
また、ｎ＝１〜６の整数、ｍ＝１〜５の整数であり、＊はカイラル中心を表す。）
【請求項４】
透明な一対の基板と、
該一対の基板の間に設けられ、一軸配列を為すスメクチックＡ相を呈する請求項１または２に記載の液晶分子が充填された液晶層と、
前記基板に設けられた電極と、を備え、
前記電極から前記液晶層に対して電界を印加して前記液晶分子の長軸を傾け、当該液晶層の透過率を調整する液晶表示素子。
【請求項５】
透明な一対の基板と、
該一対の基板と間に設けられ、一軸配列を為すスメクチックＡ相を呈する請求項１または２に記載の液晶分子が充填された液晶層と、
前記基板に設けられた電極と、を備え、
前記電極から前記液晶層に対して電界を印加して、当該液晶層を透過する光について空間変調を行う液晶光空間変調素子。
【発明の詳細な説明】
【技術分野】
【０００１】
本発明は、液晶分子、並びに該液晶分子を用いた液晶材料、液晶表示素子及び液晶光空間変調素子に関する。
【背景技術】
【０００２】
近年、ＴＦＴ（Ｔｈｉｎ  Ｆｉｌｍ  Ｔｒａｎｓｉｓｔｏｒ）などのアクティブマトリックス駆動の液晶表示素子（ＬＣＤ）が、小型のモバイル用途から大型テレビまで幅広く用いられるようになってきている。
ＬＣＤでは、インパルス駆動などの手法が取り入れられ高速応答化が為されてきている。しかしながら、ＬＣＤは、プラズマディスプレイ（ＰＤＰ）や電界放出型ディスプレイ（ＦＥＤ）等と比較して、液晶材料自体の応答速度の遅さに起因する動画ボケ等で、動画における表示品位に劣っているのが実情である。
【０００３】
また、現状の６０Ｈｚフレームレート駆動を１２０Ｈｚまたは２４０Ｈｚと高速化し（ハイフレームレート駆動）、動画表示を高品位化する試みも行われている。ＬＣＤにおける動画表示品位は、ＴＦＴを含めた駆動系に依る部分はあるものの、液晶材料自体の応答特性にほとんど依存する。つまり、液晶材料が高速応答するものとならない限りは根本的な解決にはならず、ハイフレームレート駆動を実現できない。
【０００４】
以上のように、ハイフレーム駆動にも対応でき、高い動画表示品位を実現できる高速応答可能な液晶材料が強く求められている状況である。
【０００５】
高速応答を実現できる液晶として、ネマチック液晶におけるフレクソエレクトリック効果、強誘電性液晶、反強誘電性液晶などが知られているが、本発明者はスメクチックＡ相におけるエレクトロクリニック効果（または電傾効果）に着目した。
【０００６】
エレクトロクリニック効果は、スメクチックＡ相において一軸配列している液晶分子が印加した電界強度に応じて、その光軸（液晶分子長軸）が傾く現象である（非特許文献１参照。）。このセルを直交偏光板間に配置することで、偏光板の光軸と液晶の光軸の成す角（チルト角）に応じた透過光量が得られ（下記（Ａ）式参照。）、チルト角が±４５°で最大透過率となる。
【０００７】
Ｔ／Ｔ０＝ｓｉｎ2(２θ)×ｓｉｎ2(πΔｎｄ／λ)・・・（Ａ）
（ここで、Ｔ:透過光量、Ｔ0:入射光量、θ：偏光板の光軸と液晶の光軸の成す角（チルト角）、Δｎ:液晶の複屈折、ｄ:液晶層の厚さ、λ：透過光の波長である。）
【０００８】
最大透過率となるリターデーション（＝Δｎｄ）の場合の透過率のチルト角に対する依存性を上記（Ａ）式で計算した結果を図３に示す。
【０００９】
エレクトロクリニック効果における応答時間は、数μｓ〜数１０μｓと非常に高速である。また、小さな電界強度においては光軸の傾き角（チルト角）が比例する（つまり、透過光の電圧変調が可能）であることが利点として挙げられる。即ち、アクティブマトリックス駆動に非常に適した表示モードである、と言うことができる。
しかしながら、これまでのエレクトロクリニック効果を発現するスメクチックＡ相を呈する温度範囲は比較的高温であるが故に実用上において問題が生じてしまうため、低温化が望まれている。
【００１０】
例えば、非特許文献２では、大きなチルト角を示す液晶材料であっても、そのスメクチックＡ相の温度範囲は２３℃〜５５℃と室温をわずかに下回る程度であるため、室温から充分下回るような低温化が望まれている。
また、ＴＦＴ素子による駆動を考えた場合、分極反転電流により実効電圧が低下してしまうため、液晶材料の分極量は小さい方が好ましい。このため、液晶分子はフッ素などの極性の比較的小さな置換基構造とする必要がある。しかしながら、そのような構造のスメクチックＡ相の温度範囲は、非特許文献２に記載のニトロ基のような分極の大きな置換より、非常に高くなってしまうため、低温化が望まれている。
【００１１】
さらに特許文献１では、不斉炭素を持ち、この不斉炭素を挟み正対する位置に末端フェニル基を有するコア部と、オルガノシロキサンを持つ構造の液晶分子が開示されている。しかしながら、この液晶分子は末端がアルコキシ置換フェニル基であるため、スメクチックＡ相を呈する温度範囲が高いと言う点で充分に満足できるものではなく、さらなる低温化が望まれている。
【００１２】
【非特許文献１】Garoffら、Physical Review Letters、vol.38、1977年、p848
【非特許文献２】Naciri, et al. Chem. Mater. 1995, 7, 1397-1402
【特許文献１】特開２００８−１５０３３４号公報
【発明の開示】
【発明が解決しようとする課題】
【００１３】
本発明は、以上の従来技術における問題に鑑みてなされたものであり、スメクチックＡ相を呈する温度範囲が低く、充分な光学変調が得られる液晶分子を提供することを目的とする。
また本発明は、スメクチックＡ相を呈する温度範囲が低く、充分な光学変調が得られる液晶分子を用いた液晶材料、液晶表示素子及び液晶光空間変調素子を提供することを目的とする。
【課題を解決するための手段】
【００１４】
本発明者は、不斉炭素を有するカイラル末端の一方にオルガノシランもしくはオルガノシロキサン構造を付加し、他方に炭化水素基置換の末端フェニル基を配置した構造、即ち官能基がコア部とＣ−Ｃ結合で結合する構造を有する化合物により、スメクチックＡ相を呈する温度範囲が大きく低温化されることを見出し、この知見に基づき鋭意検討を行い、本発明を完成するに至った。
【００１５】
即ち、前記課題を解決するために提供する本発明は、下記一般式（１）に示す構造である液晶分子である。
【００１６】
【化１】
2010090265.tif 000003
【００１７】
但し、前記一般式（１）中、Ｘ1は下記式（２）から選択される基であり、
【化２】
2010090265.tif 000004
【００１８】
前記一般式（１）中、Ｘ2は下記式（３）から選択される基であり、
【化３】
2010090265.tif 000005
【００１９】
前記一般式（１）中、Ｘ3は下記式（４）で表される。
【化４】
2010090265.tif 000006
【００２０】
（式（１）〜（４）中、Ｒ1は炭素数４〜１６の直鎖もしくは分岐鎖の炭化水素基を表し、Ｒ2はＳｉ数１〜６の分岐しても良いオルガノシロキサンまたはオルガノシランを表す。また、Ｒ3及びＲ4は、Ｈ，Ｆ，Ｃｌ，Ｂｒ，ＣＮ，ＣＨ3，ＣＦ3またはＯＣＨ3を表し、互いに異なる。
Ｙ1及びＹ2は、−，-ＣＯＯ-，-ＣＨ2-，-ＣＨ2Ｏ-，-Ｃ2Ｈ2-，-Ｃ2-または-ＣＦ2Ｏ-を表す。
Ｚ1及びＺ2はＨ，Ｆ，Ｃｌ，Ｂｒ，ＯＨ，ＮＯ2，ＣＮまたはＣＦ3を表す。また、Ｚ3及びＺ4はＨ，Ｆ，Ｃｌ，Ｂｒ，ＯＨ，ＮＯ2，ＣＮまたはＣＦ3を表す。さらに、Ｚ5及びＺ6は、Ｈ，Ｆ，Ｃｌ，Ｂｒ，ＯＨ，ＮＯ2，ＣＮまたはＣＦ3を表す。但し、Ｚ5及びＺ6がいずれもＨである場合は除く。
また、ｎ＝１〜６の整数であり、＊はカイラル中心を表し、−は連結基を意味する。）
【００２１】
また、前記課題を解決するために提供する本発明は、下記一般式（５）に示す構造である液晶分子である。
【００２２】
【化５】
2010090265.tif 000007
【００２３】
（式（５）中、Ｒ1は炭素数４〜１６の直鎖もしくは分岐鎖の炭化水素基を表し、Ｒ13は、Ｆ，Ｃｌ，Ｂｒ，ＣＮ，ＣＨ3，ＣＦ3またはＯＣＨ3を表す。
Ｚ1及びＺ2はＨ，Ｆ，Ｃｌ，Ｂｒ，ＯＨ，ＮＯ2，ＣＮまたはＣＦ3を表す。また、Ｚ3及びＺ4はＨ，Ｆ，Ｃｌ，Ｂｒ，ＯＨ，ＮＯ2，ＣＮまたはＣＦ3を表す。さらに、Ｚ5及びＺ6は、Ｈ，Ｆ，Ｃｌ，Ｂｒ，ＯＨ，ＮＯ2，ＣＮまたはＣＦ3を表す。但し、Ｚ5及びＺ6がいずれもＨである場合は除く。
また、ｎ＝１〜６の整数、ｍ＝１〜５の整数であり、＊はカイラル中心を表す。）
【００２４】
そして、前記課題を解決するために提供する本発明は、下記一般式（５）に示す構造である液晶分子と、下記一般式（６）に示す構造である液晶分子と、を含む液晶材料である。
【００２５】
【化６】
2010090265.tif 000008
【００２６】
【化７】
2010090265.tif 000009
【００２７】
（式（５）及び（６）中、Ｒ1は炭素数４〜１６の直鎖もしくは分岐鎖の炭化水素基を表し、Ｒ13は、Ｆ，Ｃｌ，Ｂｒ，ＣＮ，ＣＨ3，ＣＦ3またはＯＣＨ3を表す。
Ｚ1及びＺ2はＨ，Ｆ，Ｃｌ，Ｂｒ，ＯＨ，ＮＯ2，ＣＮまたはＣＦ3を表す。また、Ｚ3及びＺ4はＨ，Ｆ，Ｃｌ，Ｂｒ，ＯＨ，ＮＯ2，ＣＮまたはＣＦ3を表す。さらに、Ｚ5及びＺ6は、Ｈ，Ｆ，Ｃｌ，Ｂｒ，ＯＨ，ＮＯ2，ＣＮまたはＣＦ3を表す。但し、Ｚ5及びＺ6がいずれもＨである場合は除く。
また、ｎ＝１〜６の整数、ｍ＝１〜５の整数であり、＊はカイラル中心を表す。）
【００２８】
そしてまた、前記課題を解決するために提供する本発明は、透明な一対の基板と、該一対の基板の間に設けられ、一軸配列を為すスメクチックＡ相を呈する本発明に係る液晶分子が充填された液晶層と、前記基板に設けられた電極と、を備え、前記電極から前記液晶層に対して電界を印加して前記液晶分子の長軸を傾け、当該液晶層の透過率を調整する液晶表示素子である。
【００２９】
そしてまたさらに、前記課題を解決するために提供する本発明は、透明な一対の基板と、該一対の基板と間に設けられ、一軸配列を為すスメクチックＡ相を呈する本発明に係る液晶分子が充填された液晶層と、前記基板に設けられた電極と、を備え、前記電極から前記液晶層に対して電界を印加して、当該液晶層を透過する光について空間変調を行う液晶光空間変調素子である。
【発明の効果】
【００３０】
本発明の液晶分子によれば、液晶分子として使用温度域でスメクチックＡ相を呈し、エレクトロクリニック効果におけるチルト角が大きく、液晶表示素子や液晶光空間変調素子に用いるのに充分な光学変調が得られる。
また本発明の液晶表示素子によれば、動画表示品位に優れ、明るく、階調性とコントラストが高い表示素子を提供することができる。例えば、直視型ＬＣＤやプロジェクション・ディスプレイ用マイクロ液晶デバイス（ＬＣｏＳ（Liquid Crystal on Silicon）、高温ポリシリコンＴＦＴ−ＬＣＤ）に適用できる。また特に、色順次バックライト照明を用いたフィールドシーケンシャル駆動によるカラー表示素子を実現できる。
さらに本発明の液晶光空間変調素子によれば、三次元表示などが可能となる高速光空間変調素子を提供することができる。
【発明を実施するための最良の形態】
【００３１】
＜液晶分子＞
以下に、本発明に係る液晶分子の実施の形態について説明する。
まず本発明に係る液晶分子は、下記一般式（１）に示す構造である。
【００３２】
【化８】
2010090265.tif 000010
【００３３】
但し、前記一般式（１）中、Ｘ1は下記式（２）から選択される基であり、
【００３４】
【化９】
2010090265.tif 000011
【００３５】
前記一般式（１）中、Ｘ2は下記式（３）から選択される基であり、
【化１０】
2010090265.tif 000012
【００３６】
前記一般式（１）中、Ｘ3は下記式（４）で表される。
【化１１】
2010090265.tif 000013
【００３７】
式（１）〜（４）中、Ｒ1は炭素数４〜１６の直鎖もしくは分岐鎖の炭化水素基を表し、Ｒ2はＳｉ数１〜６の分岐しても良いオルガノシロキサンまたはオルガノシランを表す。また、Ｒ3及びＲ4は、Ｈ，Ｆ，Ｃｌ，Ｂｒ，ＣＮ，ＣＨ3，ＣＦ3またはＯＣＨ3を表し、互いに異なる。
Ｙ1及びＹ2は、−，-ＣＯＯ-，-ＣＨ2-，-ＣＨ2Ｏ-，-Ｃ2Ｈ2-，-Ｃ2-または-ＣＦ2Ｏ-を表す。
Ｚ1及びＺ2はＨ，Ｆ，Ｃｌ，Ｂｒ，ＯＨ，ＮＯ2，ＣＮまたはＣＦ3を表す。また、Ｚ3及びＺ4はＨ，Ｆ，Ｃｌ，Ｂｒ，ＯＨ，ＮＯ2，ＣＮまたはＣＦ3を表す。さらに、Ｚ5及びＺ6は、Ｈ，Ｆ，Ｃｌ，Ｂｒ，ＯＨ，ＮＯ2，ＣＮまたはＣＦ3を表す。但し、Ｚ5及びＺ6がいずれもＨである場合は除く。
また、ｎ＝１〜６の整数であり、＊はカイラル中心を表し、−は連結基を意味する。
【００３８】
また、本発明に係る液晶分子は、下記一般式（５）に示される構造であることがより好ましい。
【００３９】
【化１２】
2010090265.tif 000014
【００４０】
前記一般式（５）中、Ｒ1は炭素数４〜１６の直鎖もしくは分岐鎖の炭化水素基を表し、Ｒ13は、Ｆ，Ｃｌ，Ｂｒ，ＣＮ，ＣＨ3，ＣＦ3またはＯＣＨ3を表す。
Ｚ1及びＺ2はＨ，Ｆ，Ｃｌ，Ｂｒ，ＯＨ，ＮＯ2，ＣＮまたはＣＦ3を表す。また、Ｚ3及びＺ4はＨ，Ｆ，Ｃｌ，Ｂｒ，ＯＨ，ＮＯ2，ＣＮまたはＣＦ3を表す。さらに、Ｚ5及びＺ6は、Ｈ，Ｆ，Ｃｌ，Ｂｒ，ＯＨ，ＮＯ2，ＣＮまたはＣＦ3を表す。但し、Ｚ5及びＺ6がいずれもＨである場合は除く。
また、ｎ＝１〜６の整数、ｍ＝１〜５の整数であり、＊はカイラル中心を表す。
【００４１】
ここで、本発明の液晶分子は、スメクチック液晶層を形成するものであり、液晶表示素子や液晶光空間変調素子が使用される温度領域、例えば２０〜５０℃においてスメクチックＡ相を呈することが好ましい。スメクチック液晶層は、液晶分子の長軸方向を層状(スメクチック層)に配列してなる液晶層である。ここで言うスメクチックＡ相は、このような液晶層に関し、当該液晶層の法線方向と液晶分子の長軸方向とが一致しているものである。
【００４２】
＜液晶材料＞
また、本発明に係る液晶材料は、下記一般式（５）に示す構造である液晶分子と、下記一般式（６）に示す構造である液晶分子と、を含む液晶材料である。
ここで、本発明に係る液晶材料において、下記一般式（５）に示す構造である液晶分子と、下記一般式（６）に示す構造である液晶分子とが、１：１〜１：５の重量比で含有されることが好ましい。
【００４３】
【化１３】
2010090265.tif 000015
【００４４】
【化１４】
2010090265.tif 000016
【００４５】
式（５）及び（６）中、Ｒ1は炭素数４〜１６の直鎖もしくは分岐鎖の炭化水素基を表し、Ｒ13は、Ｆ，Ｃｌ，Ｂｒ，ＣＮ，ＣＨ3，ＣＦ3またはＯＣＨ3を表す。
Ｚ1及びＺ2はＨ，Ｆ，Ｃｌ，Ｂｒ，ＯＨ，ＮＯ2，ＣＮまたはＣＦ3を表す。また、Ｚ3及びＺ4はＨ，Ｆ，Ｃｌ，Ｂｒ，ＯＨ，ＮＯ2，ＣＮまたはＣＦ3を表す。さらに、Ｚ5及びＺ6は、Ｈ，Ｆ，Ｃｌ，Ｂｒ，ＯＨ，ＮＯ2，ＣＮまたはＣＦ3を表す。但し、Ｚ5及びＺ6がいずれもＨである場合は除く。
また、ｎ＝１〜６の整数、ｍ＝１〜５の整数であり、＊はカイラル中心を表す。
【００４６】
＜液晶表示素子＞
次に、本発明に係る液晶表示素子の構成について説明する。ここで言う液晶表示素子は、液晶材料を用いた表示素子を直接観察者が見るようないわゆる直視型表示素子のことである。
図１は、本発明に係る液晶表示素子の構成を示す断面図である。ここでは透過型の液晶表示素子の要部を示しており、その駆動方式として薄膜トランジスタ（ＴＦＴ）駆動によるアクティブマトリクス駆動方式を採用したものである。
【００４７】
図１に示す様に、ＴＦＴアレイ基板１として、第１基板１０の一方の面上に、複数のマトリクス状に配置された画素毎にスイッチング用のＴＦＴが形成され、これに接続されたＩＴＯ膜等の透明電極膜からなる画素電極１１が構成されている。或いはスイッチング用のＴＦＴの代わりに、その他の画素選択用の回路などを用いても良い。このとき、画素電極１１上に誘電膜を設けても良い。また、対向基板２として、第２基板２０の一方の面上に必要に応じて不図示のカラーフィルタが形成され、それらを被覆して全面に対向電極２１が形成されている。さらに、ＴＦＴアレイ基板１と対向基板２の必要な箇所に不図示の位相差板や偏光板などが形成されている。
【００４８】
前記ＴＦＴアレイ基板１と対向基板２がシール材で貼り合わされ、その間隙に不図示の配向膜を介して、前述した本発明の液晶分子を含む液晶混合物（液晶材料）からなる液晶層３が封入および挟持されている。このとき、本発明の液晶分子は、一軸配列をなすスメクチックＡ相を呈している。
【００４９】
以上のような液晶表示素子においては、背面側にＬＥＤなどのバックライトユニットを備えている。本発明に係る液晶表示素子では、画素電極１１と対向電極２１との間に印加する電圧により（エレクトロクリニック効果により）、液晶分子の傾き（チルト角）を変化させ、透過率を制御することで前記バックライトユニットからの光の透過を調整している。このため、本発明に係る液晶表示素子では、階調のある画像を表示することができる。
【００５０】
画像信号としては、駆動方式は例えば１Ｈ（Ｈは水平走査期間）反転駆動方式、或いは１Ｆ（Ｆはフィールド）反転駆動方式等を採用でき、これらの交流駆動では駆動電圧の高さ（振幅の大きさ）により液晶の色レベル（階調）を変化させることができる。特に、このときの駆動電圧を高めることで、表示される画像のコントラストをさらに高めることが可能である。
【００５１】
本発明の液晶表示素子では、本発明の液晶分子を用いているので、動画表示品位に優れ、明るく、階調性とコントラストの高い画像を表示することが可能となる。
【００５２】
＜液晶光空間変調素子＞
次に、本発明に係る液晶光空間変調素子の構成について説明する。
ここで言う液晶光空間変調素子とは、ある光源からの光を平面的に分割し、その個々の光束の強度、位相等を変化させる素子を言う。この液晶光空間変調素子は、例えばプロジェクタディスプレイに用いられるマイクロディスプレイ（ＬＣｏＳ）やライトバルブ、或いは光偏向スイッチ等の位相変調素子を含む。前記ライトバルブの具体例としては、図１の液晶表示素子を適用するものである。即ち、光源から出射される光を赤、緑、青色の光に分離し、各色光を本発明の液晶表示素子により構成されている３つのライトバルブにより変調し、変調された後の色光束を再び合成して、投射面に拡大投影する構成のものである。
【００５３】
図２は、本発明の液晶光空間変調素子として、光偏向スイッチの構成例を示したものである。
図２に示すように、ガラスなどからなる一対の透明基板３１ａ，３１ｂが互いに主面が平行に且つ所定間隔を有して対向するように配置されており、その対抗する面には液晶分子を垂直配向させる垂直配向剤が塗布されている。また、透明基板３１ａ，３１ｂの一方向の両端には電極３２ａ，３２ｂが挟まれてなり、この電極３２ａ，３２ｂ間には交流電界を印加する外部の駆動装置３３より交流電界が印加されるようになっている。
透明基板３１ａ，３１ｂ間には前述した本発明の液晶分子３４が封入されてなり、当該液晶光空間変調素子の使用環境ではスメクチックＡ相を呈していると共に、前記垂直配向剤により電界を印加していない状態で透明基板３１ａ，３１ｂの主面に対して垂直配向している。
【００５４】
液晶光空間変調素子では、入射光Ｌは基板３１ａ方向から基板法線と平行に（基板に対して垂直に）入射されるが、その入射光は電極３２ａ，３２ｂ間に印加される電界によりその電界方向と直交する方向に偏向されて出射される。例えば、電界Ｅ＝０のときは入射光のシフトは発生せず、電界Ｅ＞０のときはその電界方向と直交する所定方向（＋方向）に偏向シフトされて出射される。また、電界Ｅ＜０のときは電界Ｅ＞０の場合とは逆方向（−方向）に偏向シフトされて出射される。また、そのシフト量は電界の強さにより調整可能である。
【実施例】
【００５５】
以下、本発明について実施例を挙げてより具体的に説明する。
（実施例１）４’−｛［（Ｓ）−１−メチル−５−（１，１，３，３，３−ペンタメチルジシロキサニル）ペンチル］−オキシ｝−３’−ニトロ［１，１’−ビフェニル］−４−イル  ４−（ドデシル）ベンゾエイト
（１）液晶分子の合成
次の手順で本発明の液晶分子を得た。
４，４’−ビフェノールのピリジン溶液に塩化ベンゾイルを滴下した後、室温で終夜攪拌し、得られた析出物をろ過、シリカゲルのカラムクロマトグラフィーにより４’−ヒドロキシ−４−ビフェニルベンゾエイトを得た。
【００５６】
得られた４’−ヒドロキシ−４−ビフェニルベンゾエイトを酢酸に分散し、１５℃に保ちながら硝酸を滴下し、さらに水を加えて攪拌した。得られた析出物をエタノール／酢酸で再結晶し、４’―ヒドロキシ―３’―ニトロ―４―ビフェニルベンゾエイトを得た。
【００５７】
アルゴン置換したフラスコ中に得られた４’―ヒドロキシ―３’―ニトロ―４―ビフェニルベンゾエイト、トリフェニルホスフィン、（Ｓ）―５―ヘキセン―２―オールのテトラヒドロフラン（ＴＨＦ）溶液を入れ、アゾジカルボン酸ジエチルのＴＨＦ溶液を滴下し、室温で終夜攪拌した。溶媒をとばした後、カラムクロマトグラフィーにより４’―｛［（Ｒ）−１−メチル−４−ペンテニル］オキシ｝−３’−ニトロ（１，１’−ビフェニル）―４―イル  ベンゾエイトを得た。
【００５８】
得られた４’―｛［（Ｒ）−１−メチル−４−ペンテニル］オキシ｝−３’−ニトロ（１，１’−ビフェニル）―４―イル  ベンゾエイトのメタノール溶液に水酸化リチウム水溶液を加え、室温で終夜攪拌した。さらに溶媒をとばし、塩酸で中和した後、エチルエーテルで目的物を抽出した。硫酸マグネシウムで脱水した後、溶媒をとばし、カラムクロマトグラフィーにより４’―｛［（Ｒ）−１−メチル−４−ペンテニル］オキシ｝−３’−ニトロ（１，１’−ビフェニル）―４―オールを得た。
【００５９】
１−（３−（ジメチルアミノ）−プロピル）−３−エチルカルボジイミド  メチオジンに得られた４’―｛［（Ｒ）−１−メチル−４−ペンテニル］オキシ｝−３’−ニトロ（１，１’−ビフェニル）―４―オール、ｐ−ドデシル安息香酸、４−ジメチルアミノピリジンのジクロロメタン溶液を加え、室温で終夜攪拌した。溶液を水洗浄した後、分液し、硫酸ナトリウムで乾燥した。溶媒をとばした後、カラムクロマトグラフィーにより４’―｛［（Ｒ）−１−メチル−４−ペンテニル］オキシ｝−３’−ニトロ（１，１’−ビフェニル）―４―イル  ４−（ドデシルオキシ）ベンゾエイトを得た。
【００６０】
得られた４’―｛［（Ｒ）−１−メチル−４−ペンテニル］オキシ｝−３’−ニトロ（１，１’−ビフェニル）―４―イル  ４−（ドデシルオキシ）ベンゾエイトと１，１，３，３，３−ペンタメチルジシロキサンのＴＨＦ溶液に、触媒としてジクロロ（ジシクロペンタジエル）白金（II）を加え、アルゴン雰囲気中、６０℃で２４時間攪拌した。溶媒をとばした後、カラムクロマトグラフィーにより最終生成物である４’−｛［（Ｓ）−１−メチル−５−（１，１，３，３，３−ペンタメチルジシロキサニル）ペンチル］−オキシ｝−３’−ニトロ［１，１’−ビフェニル］−４−イル  ４−（ドデシル）ベンゾエイト（最終生成物１）を得た。この最終生成物１、及び後述する最終生成物２〜４の構造式を以下に示す。
【００６１】
【化１５】
2010090265.tif 000017
【００６２】
最終生成物１のスメクチックＡ相は１４℃〜２５℃であった。
なお、相転移温度及びスメクチックＡ相同定について、示差走査熱量測定及びホットステージによる偏光顕微鏡観察により行った。
【００６３】
（２）評価セルの作製
ＩＴＯ（Indium Tin Oxide）付ガラス基板にポリイミド配向膜を成膜した後、バフ材付ローラーでラビングし、２．４μｍ径シリカボールを分散させた紫外線硬化樹脂でセルを作製した。次いで、上述した方法で合成した液晶分子（最終生成物６）を等方相となる温度で注入し、評価セルとした。
【００６４】
（３）評価セルの評価
得られた評価セルについて、最大チルト角、透過率、応答時間を評価した。
最大チルト角については、評価セルを直交偏光板間に配置し、矩形波電界を印加しながら透過光量を測定し、正負極性電界それぞれにおいて最小光量となる偏光板光軸と評価セルの光軸の間の角度の半分をチルト角とした。
また、透過率は、偏光顕微鏡の偏光板の光軸に評価セルの無電界持における光軸を一致させ、最大チルト角となる電界を印加した際の透過光量を分光光度計で測定し、平行偏光板配置を１００％とすることより算出した。
また、応答時間は、透過率測定と同様の光学配置で、無電界からステップ状に最大チルト角が得られる電圧を印加した際の立ち上がり時間とした。
【００６５】
（実施例２）４’−｛［（Ｓ）−１−メチル−５−（１，１，３，３，３−ペンタメチルジシロキサニル）ペンチル］−オキシ｝−３’−フルオロ［１，１’−ビフェニル］−４−イル  ４−（ドデシル）ベンゾエイト
硝酸の代わりにフッ素化剤ＭＥＣ−３１（商品名:ダイキン工業社製）を用いた他は、実施例１と同様に合成を行い、４’−｛［（Ｓ）−１−メチル−４−（１，１，３，３，３−ペンタメチルジシロキサニル）ブチル］−オキシ｝−３’−フルオロ［１，１’−ビフェニル］−４−イル  ４−（ドデシル）ベンゾエイト（最終生成物２）を得た。
最終生成物２のスメクチックＡ相は５２℃〜６５℃であった。
【００６６】
（比較例１）４’−｛［（Ｓ）−１−メチル−５−（１，１，３，３，３−ペンタメチルジシロキサニル）ペンチル］−オキシ｝−３’−ニトロ［１，１’−ビフェニル］−４−イル  ４−（ドデシルオキシ）ベンゾエイト
ｐ−ドデシル安息香酸の代わりにｐ−ドデカオキシ安息香酸を用いた他は、実施例１と同様に合成を行い、４’−｛［（Ｓ）−１−メチル−４−（１，１，３，３，３−ペンタメチルジシロキサニル）ブチル］−オキシ｝−３’−ニトロ［１，１’−ビフェニル］−４−イル  ４−（ドデシルオキシ）ベンゾエイト（最終生成物３）を得た。
最終生成物３のスメクチックＡ相は３７℃〜５６℃であった。
【００６７】
（比較例２）４’−｛［（Ｓ）−１−メチル−５−（１，１，３，３，３−ペンタメチルジシロキサニル）ペンチル］−オキシ｝−３’−フルオロ［１，１’−ビフェニル］−４−イル  ４−（ドデシルオキシ）ベンゾエイト
硝酸の代わりにフッ素化剤ＭＥＣ−３１（商品名：ダイキン工業社製）を用いた他は、比較例１と同様に合成を行い、４’−｛［（Ｓ）−１−メチル−４−（１，１，３，３，３−ペンタメチルジシロキサニル）ブチル］−オキシ｝−３’−フルオロ［１，１’−ビフェニル］−４−イル  ４−（ドデシルオキシ）ベンゾエイト（最終生成物４）を得た。
最終生成物４のスメクチックＡ相は８５℃〜９４℃であった。
【００６８】
（実施例３）混合物
４’−｛［（Ｓ）−１−メチル−５−（１，１，３，３，３−ペンタメチルジシロキサニル）ペンチル］−オキシ｝−３’−ニトロ［１，１’−ビフェニル］−４−イル  ４−（ドデシル）ベンゾエイト（最終生成物１）と、４’−｛［（Ｓ）−１−メチル−５−（１，１，３，３，３−ペンタメチルジシロキサニル）ペンチル］−オキシ｝−３’−ニトロ［１，１’−ビフェニル］−４−イル  ４−（ドデシルオキシ）ベンゾエイト（最終生成物３）と、を重量比２５：７５で混合した。
得られた混合物のスメクチックＡ相は１８℃〜４８℃であった。
【００６９】
以上の実施例１〜３及び比較例１〜２のスメクチックＡ相温度範囲、温度幅と最大チルト角を下記表１に示す。
【００７０】
【表１】
2010090265.tif 000018
【００７１】
以上より、置換基が同じ実施例１と比較例１、実施例２と比較例２を比べると、いずれも実施例の方が約３０Ｋも低温側でスメクチックＡ相を持つことがわかる。
さらに比較例１の化合物に実施例１の化合物を混合することで（実施例３）、チルト角が３０°と非常に大きなまま、メクチックＡ相を呈する温度幅が室温を含む３０Ｋまで広がる。
以上より、不斉炭素を有するカイラル末端の一方にオルガノシランもしくはオルガノシロキサン構造を付加し、他方に炭化水素基置換の末端フェニル基を配置した構造を有する化合物により、スメクチックＡ相を呈する温度範囲が広く、且つ、チルト角、即ち透過率が大きなエレクトロクリニック効果を示す液晶分子を実現することが可能となる。
【図面の簡単な説明】
【００７２】
【図１】本発明に係る液晶表示素子の構成を示す断面図である。
【図２】本発明に係る液晶光空間変調素子の構成を示す概略図である。
【図３】一軸配列しているスメクチックＡ相の液晶分子を有する液晶セルにおけるチルト角と透過率の関係を示す図である。
【符号の説明】
【００７３】
１・・・ＴＦＴアレイ基板、２・・・対向基板、３・・・液晶層、１０・・・第１基板、１１・・・画素電極、２０・・・第２基板、２１・・・対向電極、３１ａ，３１ｂ・・・透明基板、３２ａ，３２ｂ・・・電極、３３・・・駆動装置、３４・・・液晶分子
【図１】
2010090265.tif 000029
【図２】
2010090265.tif 000030
【図３】
2010090265.tif 000031